(57)【要約】【課題】サービスチャネル（周波数）の違いから、端末が公衆基地局のサービスエリアからフェムトセルへ移動した際に、待ち受けの切り替えが困難であった。【解決手段】近距離無線通信を用いてユーザのシステム選択希望を検出し、携帯電話システムのショートメッセージを用いて携帯電話端末に待ち受けチャネルの切替契機を伝達することにより待ち受け局の選択を行なう。【選択図】図３
2011155465.tif 000002
【特許請求の範囲】
【請求項１】
近距離無線通信リーダを備えた無線基地局と、無線端末管理装置と、呼処理装置とからなる無線通信システムであって、
前記無線基地局は、前記近距離無線リーダが無線端末のＩＤを読取ったとき、システム選択通知を前記無線端末管理装置に送信し、
前記無線端末管理装置は、前記ＩＤが前記無線基地局に対して接続可能な無線端末のＩＤか判定し、接続可能なとき、前記無線端末の公衆無線通信システムの電話番号を前記呼処理装置に送信し、
前記呼処理装置は、前記公衆無線通信システムと接続し、前記公衆無線通信システムを介して前記無線端末に基地局切り替え指示を送信することを特徴とする無線通信システム。
【請求項２】
請求項１に記載の無線通信システムであって、
前記呼処理装置は、ショートメッセージサービスを利用して、前記無線端末に基地局切り替え指示を送信することを特徴とする無線通信システム。
【請求項３】
アンテナと、このアンテナに接続された送受切替器と、この送受切替器に接続された送信部と受信部と、前記送信部と前記受信部とに接続されたＩＰパケット・無線パケット変換演算処理部と、このＩＰパケット・無線パケット変換部と接続されたインタフェース部と近距離無線通信リーダとからなる無線基地局であって、
前記近距離無線通信リーダが無線端末のＩＤを読取ったとき、システム選択通知を前記インタフェース部から送信することを特徴とする無線基地局。
【請求項４】
請求項３に記載の無線基地局であって、
さらにパイロットビーコンを送信するパイロットビーコン送信部を備え、
前記近距離無線通信リーダが無線端末のＩＤを読取ったとき、パイロットビーコンを前記パイロットビーコン送信部から送信することを特徴とする無線基地局。
【請求項５】
アンテナと、このアンテナに接続された送受切替器と、この送受切替器に接続された送信部と受信部と、前記送信部と前記受信部とに接続されたＩＰパケット・無線パケット変換演算処理部と、このＩＰパケット・無線パケット変換部と接続されたＩＤ読取部とからなる無線端末装置であって、
前記ＩＤ読取部が無線基地局のＩＤを読取ったとき、このＩＤが接続可能な基地局のＩＤか判定し、接続可能なとき、サービスチャネルを変更して、観測することを特徴とする無線端末装置。
【請求項６】
請求項５記載の無線端末装置であって、
前記ＩＤ読取部は、無線ＬＡＮアクセスポイントＩＤまたは近距離無線通信ＩＤを読取ることを特徴とする無線端末装置。
【発明の詳細な説明】
【技術分野】
【０００１】
本発明は、無線通信システム、無線基地局および無線端末装置に係り、無線移動端末が、マクロセル等から構成される公衆携帯電話サービスと、小セルが重複したエリアにおいて、提供可能な携帯電話等の移動電話サービスを受ける無線通信システム、無線基地局および無線端末装置に関する。
【背景技術】
【０００２】
移動電話サービスは電波を利用した無線通信である。電波は建材などによって吸収・反射するため、屋内などの特定空間では受信可能な電波の電力が弱まってしまう。このため、基地局装置から無線端末に通信を行なう下り回線（Forward Link）では、回線品質の劣化から十分なスループットを出すことができない課題があった。また、無線端末から基地局装置への通信である上り回線（Reverse Link）では、無線端末は送信電力を上げて通信しなければならず、無線端末の消費電力が大きくなってしまう課題があった。
【０００３】
無線端末の利用頻度が高い屋内で、顕著にこれらの現象が見られるため、屋内などに設置される小型の基地局装置（フェムトセル基地局装置）により構成されるフェムトセルが注目されている。フェムトセル基地局装置からの信号を受信した無線端末装置は、フェムトセル基地局装置にアクセスすることで、電波状況を改善し、スループットの低下などの課題を解決することができる。
【０００４】
ＣＤＭＡ移動通信においては、複数のキャリヤ周波数を用いてサービスを実施している。１つのキャリヤ周波数でサポートするチャネルをサービスチャネルと呼ぶ。上記で説明したフェムトセル基地局は、カバーエリアが狭く、接続するユーザ数が少ないこと、また、安価に作る必要があることから、多数のサービスチャネルをサポートする必要はない。そのため、公衆システムのサービスチャネルと、フェムトセルのサービスチャネルの数や周波数に差分が発生する。
【０００５】
通常、携帯電話端末は通常公衆システムのサービスチャネルで待ち受けている。従って、端末がフェムトセルの配下にきても、引き続き公衆システムのサービスチャネルに接続しつつけ、フェムトセルの存在に気付かないという問題が発生する。
【０００６】
携帯電話端末が、適切にフェムトセルに切り替えるシステム選択方式として、フェムトセル基地局装置がパイロットビーコンを送信する方法が知られている。特許文献１は、パイロットビーコンを用いたハードハンドオフにおいて、ピンポン現象を抑圧するハンドオフ制御方法を開示している。
【０００７】
一方、近年、非接触型の近距離無線通信方式を採用する通信チップの利用が盛んになってきている。携帯電話端末にもそのチップが具備され、鉄道運賃の支払いなどに利用されている。こうした近距離通信の特長は、リーダ／ライタと通信チップとを数ｃｍの近距離に近付ける必要があり、その近付けるという行為でユーザの意思を確認できることにある。
【先行技術文献】
【特許文献】
【０００８】
【特許文献１】特開２００８−０７２２９１号公報
【発明の概要】
【発明が解決しようとする課題】
【０００９】
フェムトセル基地局装置は、パイロットビーコンを、公衆システムのサービスチャネルに送信し、端末に対してフェムトセルの存在を知らせる。端末はパイロットビーコンを検出することを契機に、フェムトセルのサービスチャネルの検出を開始する。
【００１０】
しかし、パイロットビーコン方式にはいくつかのデメリットが存在する。第１のデメリットは、パイロットビーコン信号による公衆システムへの干渉である。パイロットビーコン方式は、公衆波と同じチャネルでビーコンを出す方式である。そのため、パイロットビーコンが公衆システムに接続する端末に干渉してしまう。公衆基地局装置の電波が弱いエリアではフェムトセル基地局装置が発するパイロットビーコンの干渉のために、公衆基地局装置側のサービスレベルが更に劣悪になるケースも考えられる。逆に公衆基地局装置の電波が強いエリアではフェムトセルエリア構築のためにこれに打ち勝つパイロットビーコンを出す必要がある。パイロットビーコンの出力設計は、複雑な要因が絡み、非常に難しい。
【００１１】
第２のデメリットは、コストへの影響である。フェムトセルは、公衆基地局がサービスする既存の音声／データ通信の全チャネルにビーコンを出す必要がある。昨今は、例えば、８００ＭＨｚ、１.５ＧＨｚ、２ＧＨｚといった、離散的な複数のバンドクラスをサポートする必要があり、フェムトセルのハードウェア増加が考えられる。結果的に装置のコストが上昇してしまう。コストを抑える方法として、多数のサービスチャネル全てに同時にパイロットビーコンを送信する仕組みではなく、時間分割により、順次サービスチャネルを変えながらパイロットビーコンを送信して、全てのサービスチャネルにパイロットビーコンを送信する方法も知られている。しかし、すべてのサービスチャネルにパイロットビーコンを送信するには時間がかかるため、利便性が悪い。
【課題を解決するための手段】
【００１２】
上述した課題は、近距離無線通信リーダを備えた無線基地局と、無線端末管理装置と、呼処理装置とからなる無線通信システムであって、無線基地局は、近距離無線リーダが無線端末のＩＤを読取ったとき、システム選択通知を無線端末管理装置に送信し、無線端末管理装置は、ＩＤが無線基地局に対して接続可能な無線端末のＩＤか判定し、接続可能なとき、無線端末の公衆無線通信システムの電話番号を呼処理装置に送信し、呼処理装置は、公衆無線通信システムと接続し、公衆無線通信システムを介して無線端末に基地局切り替え指示を送信する無線通信システムにより、達成できる。
【００１３】
また、アンテナと、このアンテナに接続された送受切替器と、この送受切替器に接続された送信部と受信部と、送信部と受信部とに接続されたＩＰパケット・無線パケット変換演算処理部と、このＩＰパケット・無線パケット変換部と接続されたインタフェース部と近距離無線通信リーダとからなる無線基地局であって、近距離無線通信リーダが無線端末のＩＤを読取ったとき、システム選択通知をインタフェース部から送信する無線基地局により、達成できる。
【００１４】
さらに、アンテナと、このアンテナに接続された送受切替器と、この送受切替器に接続された送信部と受信部と、送信部と受信部とに接続されたＩＰパケット・無線パケット変換演算処理部と、このＩＰパケット・無線パケット変換部と接続されたＩＤ読取部とからなる無線端末装置であって、ＩＤ読取部が無線基地局のＩＤを読取ったとき、このＩＤが接続可能な基地局のＩＤか判定し、接続可能なとき、サービスチャネルを変更して、観測する無線端末装置により、達成できる。
【発明の効果】
【００１５】
本発明の無線通信システム、無線基地局および無線端末装置によれば、公衆移動電話システムに干渉を及ぼすことなく短時間でシステム切替を実現できる。
【図面の簡単な説明】
【００１６】
【図１】フェムトセルとマクロセルのサービスチャネルの違いを説明する図である。
【図２】フェムトセルのパイロットビーコンによる端末への干渉を説明する図である。
【図３】無線通信システムのブロック図である。
【図４】フェムトセル基地局の機能ブロック図である。
【図５】センタ装置に送信するメッセージのフォーマットである。
【図６】加入者データベースに送信するメッセージのフォーマットである。
【図７】加入者データベースが返信するメッセージのフォーマットである。
【図８】加入者データベースのリストのである。
【図９】フェムトセルシステム選択の処理シーケンス図である。
【図１０】加入者データベースに送信するメッセージのフォーマットである。
【図１１】加入者データベースが返信するメッセージのフォーマットである。
【図１２】近距離無線による切り替えを説明するフェムトセル基地局のフローチャートである。
【図１３】フェムトセル基地局装置の他の機能ブロック図である。
【図１４】端末装置の機能ブロック図である。
【図１５】無線ＬＡＮ ＳＳＩＤによる切り替えを説明する無線端末装置のフローチャートである。
【図１６】端末装置の他の機能ブロック図である。
【図１７】近距離無線方式による切り替えを説明する無線端末装置のフローチャートである。を説明する無線端末装置のフローチャートである。
【発明を実施するための形態】
【００１７】
以下、本発明の実施の形態について、実施例を用い図面を参照しながら詳細に説明する。なお、実質同一部位には同じ参照番号を振り、説明は繰り返さない。
【００１８】
携帯電話端末は公衆基地局のエリアでは公衆基地局のサービスチャネルで待ち受けている。しかし、フェムトセルのサービスを受けるには携帯電話端末がフェムトセルエリアに入ったときに公衆基地局のサービスチャネルから、フェムトセルのサービスチャネルに切り替える必要がある。
【００１９】
まず、図１を参照して、フェムトセルとマクロセルのサービスチャネルの違いを説明する。図１（ａ）は、ＣＤＭＡ移動通信において実施されている複数のキャリヤ周波数を用いたサービスエリアを示している。図１（ａ）において、マクロ基地局３００から電波が送信され、マクロ基地局３００のカバーエリアが構成される。また、そのエリアの中にフェムトセル基地局２００が設定されていて、フェムトセルのカバーエリアを構成している。図１（ｂ）（ｃ）はサービスチャネルの状態を示している。また、図１（ｂ）（ｃ）の横軸は周波数、縦軸は信号強度である。
【００２０】
図１（ｂ）において、公衆サービスであるマクロセル基地局３００は、Ｆ２およびＦ３の２つのサービスチャネルを使って端末１００にサービスを提供している。図１（ｂ）のようにＦ２のサービスチャネルで待ち受け状態にある端末１００は、Ｆ２の周波数だけを観測し、必要に応じて接続する基地局を乗り換えるハンドオーバを実施する。ところが、フェムト基地局装置のサポートするサービスチャネルが。図１（ｃ）のようにＦ１だけであるとき、先の説明のように、端末装置がＦ２のみを観測する状態では、端末はフェムトセルの存在を確認することができない。よって、フェムトセル基地局装置を設置しても、この端末１００がハンドオーバしてくることはなく、その効果が生まれない。
【００２１】
次に、図２を参照して、パイロットビーコンの送信を行なうフェムトセル基地局装置の課題を説明する。図２（ｃ）において、フェムト基地局は、Ｆ２およびＦ３のサービスチャネルに対してパイロットビーコンを送信する。パイロットビーコンは、非サービスの基地局の存在を知らせるパイロット信号である。パイロットビーコンは、特定の時間帯にしか送信しないため、時多重された全ての無線チャネルに影響を与えるわけではない。しかし、他局の出すパイロットとは同じタイミングにて信号を送信するため、他局に接続する端末に対して特定のチャネルに干渉を与えてしまう。図２（ｂ）では、マクロセル基地局に接続する端末１００に、フェムトセル基地局２００のパイロットビーコンが干渉を与えている。
【実施例１】
【００２２】
図３を参照して、無線通信システムのシステム構成を説明する。実施例１のフェムトセルシステムは、呼処理サーバ２１０、管理サーバ２２０、加入者データベース２３０からなるセンタ装置と、フェムトセル基地局２００の宅内装置で構成する。センタ装置とフェムトセル基地局２００間はインターネット４００を介して接続する。呼処理サーバ２１０は、呼接続処理を実施する。管理サーバ２２０は、フェムトセル基地局２００を遠隔管理する。加入者データベース２３０は、フェムトセル基地局２００と接続可能な端末情報を保持する。
【００２３】
呼処理サーバ２１０は、公衆移動体電話システムの公衆移動交換機３２０（以下ＭＳＣ：Mobile services Switching Center）に接続している。公衆移動体電話システムは、ＭＳＣ３２０、無線制御装置３１０（以下ＲＮＣ：Radio Network Controller）、公衆基地局３００（以下ＢＴＳ：Base Transceiver Station）で構成する。ＢＴＳ３００は、端末を公衆移動体電話システムに接続する。ＲＮＣ３１０は、基地局３００を制御する。ＭＳＣ３２０は、移動体交換機である。  フェムトセルエリアとは、フェムトセル基地局２００が管理しているサービスエリアである。フェムトセルシステム内に入った移動端末機１００は、位置登録動作を実施し、加入者データベース２３０に登録される。フェムトセルエリアにある携帯電話端末１００から、別の携帯電話端末に発信をした場合、携帯電話端末からの発信要求を受信した呼処理サーバ２１０は、加入者データベース２３０を検索して発信端末が登録端末であるかを確認する。登録端末であった場合、２つの端末が属するフェムトセルに対してトラヒックチャネルの割り当てを実施して、フェムトセルエリア内での通話が可能となる。また、通信相手が加入者データベース２３０の登録端末でない場合には、発信側の端末が属するフェムトセル基地局２００においてトラフィクチャネルの割り当てを実施し、相手の公衆移動体電話システムに発信呼設定の手順を実施する。上記の発信呼設定により、別の端末には着信のページングが公衆網のＢＴＳ３００から掛り、通話が可能となる。
【００２４】
図４を参照して、フェムトセル基地局２００の構成を説明する。図４において、フェムトセル基地局２００は、アンテナ２０１、デプレクサ（ＤＵＰ）２０２、無線受信部（ＲＸ）２０３、送信部（ＴＸ)２０４、中央演算装置（ＣＰＵ）２０５、ネットワークＩ／Ｆ２０６、近距離無線通信リーダ２０７から構成される。
【００２５】
アンテナ２０１が受信した信号は、デプレクサ２０２を介して無線受信部２０３に送られる。無線受信部２０３は、ＲＦ処理、およびベースバンド処理を行ない、信号受信と復号処理を行なう。ベースバンド信号処理後、ＣＰＵ２０５は、ＩＰパケットに戻す処理を行ない、ネットワークインターフェース２０６を通じてネットワークに送られる。また、ネットワークから受信したデータについて、ＣＰＵ２０５は、無線パケットに加工する。無線送信部２０４は、無線パケットについて、ベースバンド処理、ＲＦ処理を実施する。ＲＦ処理後の信号は、デプレクサ２０２を介して、アンテナ２０１から送信される。上述した受信処理によって、端末が送信してきた位置登録などの情報はＩＰパケットとしてセンタ装置に送られる。
【００２６】
フェムト基地局２００は、近距離無線リーダ２０７を具備している。このリーダ２０７は、端末１００につけられた近距離無線のデバイスを検知し、そのＩＤを読み取る。読み取られたＩＤは、ＣＰＵ２０５に送られる。ＣＰＵ２０５は、得られた結果を元に、システム選択通知のメッセージを作成し、ネットワークＩ／Ｆ３０６を通じて、管理サーバ２２０に報告する。
【００２７】
図５を参照して、フェムトセル基地局２００が管理サーバ２２０へ送信するシステム選択通知メッセージを説明する。図５において、システム選択通知メッセージ６００は、送信先アドレス６０１と、メッセージＩＤ６０２と、近距離無線ＩＤ６０３とから構成される。送信先アドレス６０１は、管理サーバ２２０のアドレスを記載する。メッセージＩＤ６０２は、システム選択通知メッセージであることを示すメッセージＩＤを記載する。近距離無線ＩＤ６０３は、近距離無線の情報で、端末を特定可能なＩＤである。
【００２８】
図６を参照して、管理サーバ２２０が加入者データベース２３０に送信する問合せメッセージを説明する。図６において、問合せメッセージ６１０は、送信先アドレス６１１、メッセージＩＤ６１２、識別Ｎｏ６１３、近距離無線ＩＤ６１４から構成される。送信先アドレス６１１は、送信先となる加入者データベース２３０のアドレスを記載する。メッセージＩＤ６１２は、問い合わせであることを示すメッセージＩＤを記載する。識別Ｎｏ６１３は、メッセージに対する応答との対応をとるための識別番号を記載する。近距離無線ＩＤ６１４は、フェムトセル基地局２００から送られてきた端末を特定可能なＩＤを記載する。
【００２９】
図７を参照して、加入者データベース２３０が管理サーバ２２０へ送信するレスポンスメッセージを説明する。図７において、レスポンスメッセージ６２０は、送信先アドレス６２１、メッセージＩＤ６２２、識別Ｎｏ６２３、加入者電話番号６２４から構成される。送信先アドレス６２１は、管理サーバ２２０のアドレスを記載する。メッセージＩＤ６２２は、レスポンスであることを示すメッセージＩＤを記載する。識別Ｎｏ６２３は、先に管理サーバ２２０が加入者データベース２３０に電話番号を問い合わせる際に識別用につけた識別番号を記載する。加入者電話番号６２４は、該当する端末の電話番号を記載する。
【００３０】
図８を参照して、加入者データベースが保有する対応リストを説明する。図８において、対応リスト７００は、近距離無線ＩＤ７０１、加入者電話番号７０２から構成される。対応リスト７００により、任意の近距離無線ＩＤから、該当する端末の電話番号が検索できる。
【００３１】
図９を参照して、システム選択の処理動作を説明する。公衆移動体電話システムのサービスエリアにおいて、携帯電話端末１００は、公衆移動体電話システムのサービスチャネルを待ち受けている。近距離無線通信のチップを内蔵している携帯電話端末１００は、ユーザの操作により、近距離無線通信のリーダを内蔵／外付けしたフェムトセル基地局２００に近づけられる（Ｓ１００）。フェムトセル基地局２００は、携帯電話端末１００の近距離無線通信の情報を読み取る（Ｓ１０１）。情報には、端末を特定可能なＩＤが含まれる。フェムトセル基地局２００は、この情報を元に管理サーバ２２０へ「システム選択通知」メッセージを送信する（Ｓ１０２）。
【００３２】
これを受信した管理サーバ２２０は、加入者データベース２３０にＩＤを元に問い合わせる（Ｓ１０３）。これを受信した加入者データベース２３０は、該加入者データベースに予め登録された携帯電話端末の電話番号と、上記端末を特定するＩＤの対応リストを参照し、該当端末の電話番号を得て、電話番号を管理サーバ２２０に送信する（Ｓ１０４）。
【００３３】
管理サーバ２２０は、電話番号を元に呼処理サーバ２１０にシステム選択通知を送信する（Ｓ１０５）。呼処理サーバ２１０は、システム選択通知を指示されると、そのメッセージに含まれる加入者の電話番号をもとに、該当する携帯電話端末１００に対して、ショートメッセージサービスを用いて「システム選択指示」を送信する。このため、呼処理サーバ２１０は、まず、ＭＳＣ３２０に本指示をショートメッセージで送信する（Ｓ１０６）。
【００３４】
ショートメッセージを受信したＭＳＣ３２０は、ＲＮＣ３１０を介してＢＴＳ３００へショートメッセージの送信を指示する（Ｓ１０６〜Ｓ１０８）。
【００３５】
ＢＴＳ３００は、ショートメッセージを受信し、待ち受けを公衆基地局３００からフェムトセル基地局２００へ変更する指示を携帯電話端末１００に対してショートメッセージを用いて行なう（Ｓ１０９）。
【００３６】
指示を受信した携帯電話端末１００は、待ち受けを公衆基地局３００からフェムトセル基地局２００へ切り替える（Ｓ１１０）。具体的には、図１にて、Ｆ２のサービスチャネルに接続していた端末は、Ｆ１のサービスチャネルの観測を行ない、十分なレベルがあると判明したら、Ｆ１にて、該当するフェムトセル基地局装置にアクセスし、位置登録を行なう。
【００３７】
これに伴い、フェムトセル基地局２００経由で位置登録のメッセージがＭＳＣ３２０に通知され、端末はフェムトセルでサービスを受けることが可能となる（Ｓ１１１〜Ｓ１１３）。
【００３８】
図９では、公衆基地局３００からフェムトセル基地局２００へ待ち受けを切り替える場合を説明した。逆にユーザ１０がフェムトセルエリアから公衆基地局エリアへ移動する場合を以下説明する。この場合は、携帯電話端末１００がフェムトセルエリアから遠ざかるに従ってフェムトセル基地局２００の電波が弱まる。最終的には、携帯電話端末１００は、フェムトセルアリアの圏外になる。いったん圏外になった以降、携帯電話端末１００は、通常の公衆電話システムでの動作に戻り、公衆基地局３００のチャネルを検出／選択して公衆基地局３００へ位置登録を行なう。
【００３９】
実施例１では、システム選択を行なう際に、公衆移動体電話システムのショートメッセージを用いてシステム選択契機を携帯電話端末１００に伝達した。これは、公衆基地局３００の電波が届いているエリアで有効である。
【００４０】
一方、公衆基地局エリアが十分に構成できていないエリアでは、実施例１は、機能しない場合が考えられる。すなわち、端末１００に対してショートメッセージが到達できない場合がある。このようなエリアでは、先に説明したように、微弱なパイロットビーコンでも端末に直接フェムトセルの存在を通知することが可能である。よって、本実施例と、パイロットビーコンを併用することで、こうした新たな課題を解決することができる。
【００４１】
実施例１では個人利用の場合を示したが、実施例１を用いれば法人利用で複数のフェムトセルが隣接して設置されている環境において利用するフェムトセルをユーザが意識的に指定して選択する場合についても容易に解決できる。
【００４２】
実施例１では、近距離無線通信のリーダ２０７がフェムトセル基地局２００に内蔵されている。しかし、本質は、別の通信方式を使った移動体電話システムの切り替えであり、これにとらわれない。具体的には、近距離無線通信を使ったドア施錠などのシステムと連動し、端末の帰宅を感知したら一連の動作を起動してもよい。したがって、センタ装置に対して「システム選択通知」を送る主体は、フェムトセル基地局である必要はない。
【００４３】
図６では、メッセージに識別番号を付けて、検索を要求したＩＤと、加入者データベースにおい検索した結果（電話番号）との照合につかっていたが、変形実施例として、近距離無線通信のＩＤそのものを識別番号とみなして使う方法でもよい。
【００４４】
図１０には、変形実施例における加入者データベース２３０への問い合わせのメッセージフォーマット６１０Ａを示す。メッセージフォーマット６１０Ａは、図６のメッセージフォーマット６１０との対比から明らかなように、識別Ｎｏ６１３がないだけである。
【００４５】
また、図１１には、変形実施例のレスポンスメッセージのフォーマット６２０Ａを示した。レスポンスメッセージのフォーマット６２０Ａは、図７のレスポンスメッセージのフォーマット６２０との対比から明らかなように識別Ｎｏ６２３が、近距離無線通信ＩＤ６２５に置き換わっただけである。
【００４６】
図１２を参照して、フェムトセル基地局２００の処理動作を説明する。図１２において、ステップ５００で、フェムトセル基地局２００は、その中に内蔵される近距離無線方式を起動し、電波を観測する。近接するチップが観測されるまで、フェムトセル基地局２００は、観測を繰り返す。近接するチップが観測された場合、フェムトセル基地局２００は、通信を行ない、チップのＩＤを読み取り、そのＩＤがフェムトセルに登録されているＩＤと一致するかを判定する（Ｓ５０１）。一致しないとき、フェムトセル基地局２００は、ステップ５００に戻る。ステップ５０１で一致するとき、フェムトセル基地局２００は、センタ装置に対して既設定のＩＤを検出したことを報告する（Ｓ５０２）。報告には、図５で説明した、「システム選択通知」メッセージが使われる。
【実施例２】
【００４７】
実施例１では、近距離無線通信を用い、フェムトセル基地局が、規定の端末が近づいたことを検出していた。実施例２では、逆に端末が、無線ＬＡＮを用いて、フェムトセル基地局に接近したことを検知する。
【００４８】
具体的には、無線ＬＡＮで特定のＳＳＩＤ（Service Set ID）を検出した場合などを契機に、携帯端末１００Ａは、待ち受けを公衆基地局３００からフェムトセル基地局２００Ａへ切り替える。ここで、ＳＳＩＤは、無線ＬＡＮのアクセスポイントの識別子である。この際に、携帯端末１００は、フェムトセル基地局２００Ａ経由で位置登録をＭＳＣ３２０に通知する。端末１００は、フェムトセル基地局２００Ａでサービスを受けることが可能となる。
【００４９】
図１３を参照して、実施例２のフェムトセル基地局２００Ａの構成を説明する。図１３において、フェムトセル基地局２００Ａは、アンテナ２０１、デプレクサ（ＤＵＰ）２０２、無線受信部（ＲＸ）２０３、送信部（ＴＸ)２０４、中央演算装置（ＣＰＵ）２０５、ネットワークＩ／Ｆ２０６、無線ＬＡＮ送受信部２０８から構成される。
【００５０】
アンテナ２０１が受信した信号について、デプレクサ２０２は、無線受信部２０３に送信する。無線受信部は、ＲＦ処理およびベースバンド処理を行ない信号受信と復号処理が行なわれる。ベースバンド信号処理後にＣＰＵ２０５は、ＩＰパケットに戻す処理を行ない、ネットワークインターフェース２０６を通じてネットワークに送る。
【００５１】
また、ネットワークから受信したデータについて、ＣＰＵ２０５は、無線パケットに加工する。無線送信部２０４は、ベースバンド処理よびＲＦ処理を実施する。ＲＦ処理した信号について、デプレクサ２０２は、アンテナ２０１から送信する。フェムトセル基地局２００Ａは、無線ＬＡＮ送受信部２０８を具備している。無線ＬＡＮ送受信部２０８は、フェムトセル基地局２００Ａを識別するＳＳＩＤを送信する。
【００５２】
図１４を参照して、実施例２の端末装置１００Ａの構成を説明する。図１４において、端末装置１００Ａは、アンテナ１０１、デプレクサ（ＤＵＰ）１０２、無線受信部（ＲＸ）１０３、送信部（ＴＸ)１０４、中央演算装置（ＣＰＵ）１０５、アプリケーション用ＣＰＵ１０６、無線ＬＡＮ送受信部１０８から構成される。
【００５３】
図１４において、アンテナ１０１が受信した信号について、デプレクサ１０２は、無線受信部１０３に送信する。無線受信部１０３は、ＲＦ処理およびベースバンド処理を行ない、信号受信と復号処理を行なう。ベースバンド信号処理後にＣＰＵ１０５は、ＩＰパケットに戻す処理が行ない、アプリケーション実施手段であるＣＰＵ１０６に送る。
【００５４】
また、アプリケーション実施用のＣＰＵ１０６から送られたＩＰパケットについて、ＣＰＵ１０５は、無線パケットに加工する。無線送信部１０４は、無線パケットにベースバンド処理とＲＦ処理を実施し、デプレクサ１０２を介して、アンテナ１０１から送信する。端末装置１００Ａは、無線ＬＡＮ送受信部１０８を具備している。無線ＬＡＮ送受信部１０８は、フェムト基地局２００Ａから、無線ＬＡＮの信号を受信すると、ＳＳＩＤを識別する。
【００５５】
図１５を参照して、端末装置１００Ａの動作フローを説明する。図１５の処理フローは端末装置１００ＡのＣＰＵ１０５で実施される。図１５において、まず、ＣＰＵ１０５は、無線ＬＡＮシステムの電波を観測する（Ｓ５２０）。無線ＬＡＮの信号を検知できない場合、ＣＰＵ１０５は、一定期間の受信休止後（Ｓ５２４）、再度無線ＬＡＮの信号の検知を試みる（Ｓ５２０）。ステップ５２０にて、無線ＬＡＮの信号が検出された場合、ＣＰＵ１０５は、受信した信号のＳＳＩＤを確認する（Ｓ５２１）。確認したＳＳＩＤが予め端末１００に登録されたものである場合、ＣＰＵ１０５は、受信レベルを確認する。受信レベルが閾値以上の値である場合、ＣＰＵ１０５は、フェムトセルのサービスチャネルに切り替え、受信レベルを確認する（Ｓ５２２）。ステップ５２１にて、ＳＳＩＤが既設定値と異なる場合や、十分な受信レベルに満たない場合、ＣＰＵ１０５は、ステップ５２４に移る。
【００５６】
ステップ５２２で受信レベルが十分な場合、ＣＰＵ１０５は、フェムトセルへの切り替えを実施する（Ｓ５２３）。ステップ５２２で受信レベルが不十分、あるいは信号が検知できない場合には、元のサービスチャネルに戻り、ステップ５２４に戻る。
【実施例３】
【００５７】
実施例２同様の考え方は、近距離無線通信を使っても実現できる。この場合には、図４で示したようにフェムトセル基地局に近距離無線通信のリーダを具備するのではなく、図１６に示すように、端末１００Ｂに近距離無線通信リーダを具備する。一方、フェムトセル基地局２００Ｂは、その筐体の外面に近距離無線通信チップを実装する。近距離無線通信チップは、近距離無線通信リーダからの電波に応答して動作する。つまり、近距離無線通信チップは、フェムトセル基地局２００Ｂの他の機能ブロックと相互作用がない。したがって、ブロック図として表現できず、図示を省く。
【００５８】
図１６を参照して、実施例３の端末装置１００Ｂの構成を説明する。図１６において、端末装置１００Ａは、アンテナ１０１、デプレクサ（ＤＵＰ）１０２、無線受信部（ＲＸ）１０３、送信部（ＴＸ)１０４、中央演算装置（ＣＰＵ）１０５、アプリケーション用ＣＰＵ１０６、近距離無線通信リーダ１０７から構成される。
【００５９】
図１４において、アンテナ１０１が受信した信号について、デプレクサ１０２は、無線受信部１０３に送信する。無線受信部１０３は、ＲＦ処理およびベースバンド処理を行ない、信号受信と復号処理を行なう。ベースバンド信号処理後にＣＰＵ１０５は、ＩＰパケットに戻す処理が行ない、アプリケーション実施手段であるＣＰＵ１０６に送る。
【００６０】
また、アプリケーション実施用のＣＰＵ１０６から送られたＩＰパケットについて、ＣＰＵ１０５は、無線パケットに加工する。無線送信部１０４は、無線パケットにベースバンド処理とＲＦ処理を実施し、デプレクサ１０２を介して、アンテナ１０１から送信する。端末装置１００Ｂは、近距離無線通信リーダ１０７を具備している。近距離無線通信リーダ１０７は、フェムト基地局２００Ｂから、近距離無線通信の電波を受信すると、近距離無線通信ＩＤを識別する。
【００６１】
図１７を参照して、端末装置１００Ｂの動作フローを説明する。図１７の処理フローは端末装置１００ＡのＣＰＵ１０５で実施される。図１７において、まず、ＣＰＵ１０５は、近距離無線通信システムリーダ１０７を起動し、電波を観測する（Ｓ５１０）。近距離無線通信の信号を検知できない場、ＣＰＵ１０５は、一定期間の受信休止後（Ｓ５１４）、再度近距離無線通信の信号の検知を試みる（Ｓ５１０）。ステップ５１０にて、近距離無線通信の信号が検出された場合、ＣＰＵ１０５は、通信によってフェムトセル基地局を識別するＩＤを確認する（Ｓ５１１）。確認したＩＤが予め端末１００に登録されたものである場合、ＣＰＵ１０５は、サービスチャネルを予め登録していたフェムトセル用のサービスチャネルに切り替える。そして、ＣＰＵ１０５は、受信レベルを確認する（Ｓ５１２）。受信レベルが十分な場合、ＣＰＵ１０５は、フェムトセルへ切り替えを実施する（Ｓ５１３）。ステップ５１２で受信レベルが十分な場合、受信レベルが不十分、あるいは信号が検知できない場合には、元のサービスチャネルに戻り、ステップ５１４に戻る。ステップ５１１にて、ＩＤが既設定値と異なる場合はステップ５１４に移る。
【符号の説明】
【００６２】
１００…携帯電話端末、１０１…アンテナ、１０２…ＤＵＰ、１０３…ＲＸ、１０４…ＴＸ、１０５…ＣＰＵ、１０６…アプリケーションＣＰＵ、１０７…近距離無線通信リーダ、１０８…無線ＬＡＮ送受信部、２００…フェムトセル基地局、２０１…アンテナ、２０２…ＤＵＰ、２０３…ＲＸ、２０４…ＴＸ、２０５…ＣＰＵ、２０６…ＮＷ−Ｉ／Ｆ、２０７…近距離無線通信リーダ、２０８…無線ＬＡＮ送受信部、２１０…呼処理サーバ、２２０…管理サーバ、２３０…加入者データベース、３００…ＢＴＳ、３１０…ＲＮＣ、３２０…ＭＳＣ。
【図１】
2011155465.tif 000003
【図２】
2011155465.tif 000004
【図３】
2011155465.tif 000005
【図４】
2011155465.tif 000006
【図５】
2011155465.tif 000007
【図６】
2011155465.tif 000008
【図７】
2011155465.tif 000009
【図８】
2011155465.tif 000010
【図９】
2011155465.tif 000011
【図１０】
2011155465.tif 000012
【図１１】
2011155465.tif 000013
【図１２】
2011155465.tif 000014
【図１３】
2011155465.tif 000015
【図１４】
2011155465.tif 000016
【図１５】
2011155465.tif 000017
【図１６】
2011155465.tif 000018
【図１７】
2011155465.tif 000019